(57)【要約】【課題】今迄の背中洗い用のタオルは、付属品のスポンジを収納するためにタオルを三つ折りにしてミシン止めにしたり、タオルにフリルなどを付けボール状にしたりしているため、体を洗う時には良いが、タオルを清潔に洗い乾燥する事に不合理性が生じ、且つバイブレーション機能が無いため、高いマッサージ効果、リラックス効果が望めなかった。又、流通している電動シャンプーブラシは沢山あるが、バイブレーションタオルにはならなかった。【解決手段】タオル部品にバイブレーター本体を係着するためのループと、そのループが通るだけの貫通穴を該バイブレーター本体に設け、くぐらせ該タオルを三巻しバイブレーター部品を保持し、且つ該タオルの端付近をくぐらせ持ち手を構成し両手で握って背中を洗えるようにした。【選択図】図６
2017104468.tif 000002
【特許請求の範囲】
【請求項１】
防水構造を備え、且つ少なくとも一つの貫通穴を有するトーラス状のケースと、該ケース内に振動手段を収容した事を特徴とするバイブレーター本体。
【請求項２】
請求項１に記載のバイブレーター本体を係着保持するタオル部品であって、該タオル部品には、該貫通穴をくぐらせて、該バイブレーター本体を係着する為の紐状バイブレーター用ループ部材が設けられている事を特徴とするタオル部品。
【請求項３】
請求項２に記載のタオル部品であって、該タオル部品の長手方向の端部付近には、該タオル部品の一部をくぐらせるための紐状持ち手用ループ部材が設けられている事を特徴とするタオル部品。
【請求項４】
請求項１に記載の、バイブレーター本体に取付けられるブラシ部品であって、該ブラシ部品の一部には、該貫通穴に挿入される取り付け部が設けられている事を特徴とするブラシ部品。
【発明の詳細な説明】
【技術分野】
【０００１】  入浴の際に使用するタオルや、ブラシを紐又は、テープ状の部品でバイブレーション本体を取り付け、洗浄効果と、マッサージ効果、リラックス効果を高める入浴用品である。
【背景技術】
【０００２】  今迄の背中洗いのタオルでは、ボール状にフリルを付けたり、ポケットを付けたりしたものが有った。【０００３】  又入浴時に使う電動洗髪ブラシや、マッサージや、リラクゼーションを行うハンディーな電動バイブレーションは多数市場に流通している。
【先行技術文献】
【特許文献】
【０００４】
【特許文献１】  実登３０８１００５
【特許文献２】  特開２０００−３４２４８２
【特許文献３】  特開２０１５−５４１７１
【特許文献４】  特許２０１２−２３５９４１
【発明の概要】
【発明が解決しようとする課題】
【０００５】  特許文献１のタオルは、付属品のスポンジを収納するためにタオルを三つ折りにし、且つタオル両端を折りポケットにしているため、体を洗う時には良いが、タオルを清潔に洗い乾燥する事に不合理性が生じ、且つバイブレーション機能が無いため、高いマッサージ効果、リラックス効果が望めない。【０００６】  特許文献２のタオルは、タオル両端に紐状の握り取っ手が設けられているが、握力が弱い人には細すぎて不安定であり、且つバイブレーション機能が無いため、高いマッサージ効果、リラックス効果が望めない。【０００７】  特許文献３のハンドバイブレーターは、振動装置を手の甲側に載せ使用するため、発生した振動を手の厚みを介し体や、附属品に伝えるため振動が弱まってしまい、且つタオル機能が無い。【０００８】  特許文献４のバイブレーターは、防水されたケース内に振動発生装置を備えたボディーと、脱着自由な複数の突起を設けた弾性変形可能なシャンプーブラシであり、多く流通している普通の電動シャンプーブラシと同等であり、このタイプではタオルのように薄く柔らかいものに取り付け保持し、背中を流す事が出来ない。
【課題を解決するための手段】
【０００９】  本発明は、防水構造を備え、且つ少なくとも１つの貫通穴を有するトーラス状のケースと、該ケース内に振動手段を収容した事を特徴とするバイブレーター本体に紐状ループや、突起物を該貫通穴に通してタオルや、ブラシ等の付属部品を保持出来るようにした。【００１０】  本発明は、請求項１に記載のバイブレーター本体を保持するタオル部品であって、該タオル部品には、該貫通穴をくぐらせて、該バイブレーター本体を保持するための紐状バイブレーター用ループ部材が設けられていて、該タオル部品を振動させ体を洗うと同時にリラックス効果や、マッサージ効果、泡立ち効果の増大が期待出来るようにした。【００１１】  本発明は、請求項２に記載のタオル部品であって、該タオル部品の長手方向の端部付近には、該タオル部品の一部をくぐらせるための紐状持ち手用ループ部材が設けられていて、ポケットや二重な部分が無くても、しっかり該タオルを持つ事が出来て、且つすぐに該タオルが乾き清潔を保てるようにした。【００１２】  本発明は、請求項１に記載の、バイブレーター本体に取付けられるブラシ部品であって、該ブラシ部品の一部には、該貫通穴に挿入される取り付け部が設けられていて、バイブレーションブラシとしても使用出来るようにした。
【発明の効果】
【００１３】  本発明は、体を洗いながら気持ち良くリラックスが出来て、マッサージの効果や、泡立ちの効果、洗浄の効果もあり、且つバイブレーター本体の厚みと、振動、そしてタオル部品の持ち手効果で背中中央部の窪みも、楽に、まんべんなく素早く洗う事が出来る。【００１４】  又、タオル部品には、ポケットや、二重になった部分が無いので、耳、顔、指の間等の細かい所も良く洗え、且つ前記タオル部品が一枚ペラであるため洗濯、乾燥が簡単で清潔である。【００１５】  そして、バイブレーター本体一つで、バイブレーションタオルにも、バイブレーションブラシにもなり、大変便利である。
【図面の簡単な説明】
【００１６】
【図１】バイブレーター本体の正面図である。
【図２】バイブレーター本体の側面図である。
【図３】バイブレーター本体の斜視図である。
【図４】タオル部品の正面図である。
【図５】バイブレーター本体にタオル部品を係着した正面図である。
【図６】バイブレーションタオルとして背中を洗う時の使用図である。
【図７】ブラシ部品の正面図である。
【図８】ブラシ部品の側面図である。
【図９】バイブレーションブラシとしての使用図である。
【発明を実施するための形態】
【００１７】  以下、本発明の実施の形態を図１〜図９に基づいて説明する。
【００１８】  図１に於いては、トーラス状のケースに振動手段を収容し、他部品の係着部や、保持部、取り付け部が通るだけの大きさの貫通穴を有する、バイブレーター本体の正面図である。
【００１９】  図３に於いては、トーラス状のケースが略ドーナツ型で、丸みのあるバイブレーター本体の側面図である。
【００２０】  図４に於いては、バイブレーター本体を係着するためのバイブレーター用ループと、タオルの端付近をくぐらせ持ち手を構成するための、持ち手用ループを設けたタオル部品の正面図である。
【００２１】  図５に於いては、タオル部品のバイブレーター用ループを、バイブレーター本体の貫通穴にくぐらせ、バイブレーター本体を係着した状態のタオル部品と、バイブレーター本体の関係図である。
【００２２】  図６に於いては、タオル部品にバイブレーター本体を係着し、該タオル部品を三つ折りにして該バイブレーター本体を保持し、ぶらつかないようにして、且つ該タオルの持ち手用ループに該タオルの端付近をくぐらせ持ち手を構成し、両手で握って背中を洗う状態のイメージ図である。
【００２３】  図７に於いては、バイブレーター本体に取付ける付属部品である、多数のブラシピンの付いたブラシ部品の正面図である。
【００２４】  図８に於いては、バイブレーター部品に取付ける付属部品である、ブラシ部品のブラシ取り付け部と、多数のブラシピンの簡略な形状を示した側面図である。
【００２５】  図９に於いては、ブラシ部品のブラシ側取り付け部に右手を差し込み、使用する状態のイメージ図である。
【符号の説明】
【００２６】１Ａ      バイブレータ本体
１Ｂ      貫通穴
１Ｃ      防水形ケース
２Ａ      タオル部品
２Ｂ      バイブレーター用ループ
２Ｃ      持ち手用ループ
２Ｄ      タオル折り畳み線
２Ｅ      タオル持ち手部分
３Ａ      ブラシ部品
３Ｂ      ブラシピン
４Ａ      ブラシ取り付け部
Ｘ        左手
Ｙ        右手
【図１】
2017104468.tif 000003
【図２】
2017104468.tif 000004
【図３】
2017104468.tif 000005
【図４】
2017104468.tif 000006
【図５】
2017104468.tif 000007
【図６】
2017104468.tif 000008
【図７】
2017104468.tif 000009
【図８】
2017104468.tif 000010
【図９】
2017104468.tif 000011